(57)【要約】【課題】  リムレスメガネのレンズ掴み片に機能性と装飾性を与え、リムレスメガネのデザイン的な多様性を広げる事。【解決手段】  輪切り断面形状が略二等辺三角形の柱状体の該等辺１１ａ，１１ｂ、に挟まれた一辺部１２がレンズ周面Ｓに当接するように僅かに内側に湾曲するように形成し、そして、フレーム部品と当接する部分には凸部１３又は凹部が前記フレーム部品に設けられた凹部又は凸部に嵌合するように形成されたレンズ掴み装飾片をブリッジ部分又はヨロイ部分の少なくともどちらか一方に装着した。【選択図】図１
2005062792.tif 000002
【特許請求の範囲】
【請求項１】
リムレスメガネ用のレンズ掴み部品であって、輪切り断面形状が略二等辺三角形の柱状体であり、該等辺に挟まれた一辺部がレンズ周面に当接するように僅かに内側に湾曲するように形成され、そして、フレーム部品と当接する部分には凸部又は凹部が前記フレーム部品に設けられた凹部又は凸部に嵌合するように形成された事を特徴とする、レンズ掴み装飾片。
【請求項２】
前記柱状体が、輪切り断面形状略半円形状の柱状体であることを特徴とする、請求項１記載のレンズ掴み装飾片。
【請求項３】
リムレスメガネ用のレンズ掴み部品であって、レンズ表面に当接する略菱形の装飾部分と、レンズ周面を掴む略三角柱状体の装飾部分と、フレーム部品に設けられた凹部又は凸部に嵌合する部分とを有することを特徴とする、レンズ掴み装飾片。
【請求項４】
前記フレーム部品と当接するレンズ掴み部品の凸部又は凹部に更に突起部が少なくとも一箇所以上設けられた事を特徴とする、請求項１又は３項の何れか１項に記載のレンズ掴み装飾片。
【請求項５】
前記請求項１から４項の何れか１項に記載のレンズ掴み装飾片を、ブリッジ部分又はヨロイ部分の少なくともどちらか一方に装着した事を特徴とするリムレスメガネ。
【請求項６】
前記装飾レンズ掴み片が軟質製樹脂からなることを特徴とする請求項１から４の何れか１項に記載の、レンズ掴み装飾片。
【請求項７】
前記装飾レンズ掴み片が着色された樹脂片であることを特徴とする、請求項１から４又は請求項６の何れか１項に記載の、レンズ掴み装飾片。
【請求項８】
前記レンズ掴み装飾片を装着した時、リムレスメガネ正面から外観を見た場合、ほぼ水平なフレーム部品の上下の少なくともどちらかに一方に三角形として前記レンズ掴み装飾片が目視される事を特徴とする、請求項５に記載のリムレスメガネ。
【請求項９】
前記レンズ掴み装飾片を装着した時、リムレスメガネ正面から外観を見た場合、ほぼ水平なフレー厶部品を軸とし上下に略対称な三角形として前記レンズ掴み装飾片が目視される事を特徴とする、請求項５に記載のリムレスメガネ。
【発明の詳細な説明】
【技術分野】
【０００１】  本発明は、リムレスメガネのレンズ端部に設けられる回り止め用の装飾片、及びそれを装着したリムレスメガネの構造に関する。
【背景技術】
【０００２】  従来より、リムレスメガネの端部には、フレーム部品とレンズとの廻り止めをする方法として、（ｉ）レンズ掴み部を一体的に有するように形成されたフレーム部品や（図９）、（ｉｉ）フレーム部品とは別体に樹脂等で形成されたレンズ掴み部品を装着した物が提案されている（例えば、特許文献１、特許文献２）。【０００３】
【特許文献１】特開平０７−２０９６１２号
【特許文献２】特開平０８−４３７７１号
【発明の開示】
【発明が解決しようとする課題】
【０００４】  解決しようとする課題は、メガネは機能性と装飾性の両方が満たされてこそユーザーに支持され購入されるのであり、特にリムレスメガネはお洒落な感じを有することに特徴があるのだが、上記（ｉ）図９の様な方法は機能的にはレンズとフレーム部品の間の回り止めをする効果はあるが、いかにも回り止めを付けましたという風にしか見えず逆に野暮ったい風に見えてしまっていた。又上記（ｉｉ）に於いて提案されている、フレーム部品とは別体に樹脂等で形成されたレンズ掴み部品を装着した物に於いても、機能性の追及はなされているが、デザイン的な装飾性はほとんど考慮されていない。
【課題を解決するための手段】
【０００５】  そこで本発明に於いては、メガネ正面からはっきり装飾片として見えるレンズ掴み片をレンズ端部に装着し、機能性にデザイン的な装飾性を付加する手段を採用した。
【発明の効果】
【０００６】  本発明のリムレスメガネのレンズ掴み片は、機能性を有することは勿論であるが、簡単な形状の変化をつけるだけで、リムレスメガネのフロント部に今迄に無いデザイン的変化・装飾性を呈することが出来るようになった。
【発明を実施するための最良の形態】
【０００７】  切断面形状が略二等辺三角形の柱状体であり、該等辺に挟まれた一辺部はレンズ周面に当接するように僅かに内側に湾曲するように形成され、そして、フレーム部品と当接する部分には凸部又は凹部が前記フレーム部品に設けられた凹部又は凸部に嵌合するように形成され、且つレンズ表面に当接する略菱形の装飾部分が形成され、レンズとフレーム部品の廻りが防止され、前記レンズ掴み装飾片を装着した時、リムレスメガネ前面から外観を見ると、ほぼ水平なフレーム部品を軸とし上下に略対称な三角形として前記レンズ掴み装飾片が目視されるような形状・構造を実現した。
【実施例１】
【０００８】  以下図によって詳しく説明すると、図１は本発明の実施例の斜視図であって、輪切り断面形状が略二等辺三角形の柱状体のリムレスメガネ用のレンズ掴み部品１０であって、該等辺１１ａ、１１ｂ、に挟まれた一辺部１２がレンズ周面Ｓに当接するように僅かに内側に湾曲するように形成され、そして、フレー厶部品と当接する部分には凸部１３が前記フレーム部品に設けられた凹部に嵌合するように形成される。そのレンズ掴み片１０をフレー厶部品（ヨロイ部品２０、ブリッジ部品２１）に嵌め込んでレンズＬに装着した正面図が図２であり、レンズ掴み片１０、１０ａはレンズ周面をしっかり保持し、ほぼ水平なフレーム部品（ヨロイ部品２０、ブリッジ部品２１）の上下にほぼ対称に三角形として表れて今迄に無い装飾性を与えられることとなり、そして、レンズＬとフレーム部品２０，２０ａとの回動を防ぐ機能的な役割とデザイン的な装飾性を兼ね備える事となる。又、ここでレンズ掴み部品１０の材質は、金属は勿論樹脂でも良い。そして、軟質樹脂又は、着色又は模様を付された物であっても勿論良い。【０００９】又、上記柱状体は三角柱状体のみならず、円柱体を縦に分割した半円柱状体であっても良い。（図示はしない。）【００１０】  図３は本発明の他の実施例の斜視図であって、レンズ表面Ｈに当接する略菱形の装飾部分１４と、レンズ周面Ｓを掴む略三角柱状体の装飾部分１５と、フレーム部品に設けられた凹部又は凸部に嵌合する凸部又は凹部（本図の場合は凹部１３ａを表してある。）を有する様にされている。更にそれをフレーム部品に嵌め込んでレンズＬに装着した正面図が図４であり、この場合装飾性は図２の実施例の場合より更に際立ち、且つ回り止めの効果もアップし更に好ましい状態を提供できる事になる。【００１１】  図５は図１の実施例の変化例図であって、この場合、フレーム部品凹部に嵌合される凸部１３ｂが突出したピン形状でもよく、それが一体的に形成されても、別体で形成されたものでも良い。図６は図３の実施例の変化例図であって、この場合もフレー厶部品凹部に嵌合される凸部１３ｃが突出したピン形状であっても勿論構わない。【００１２】  図７は図３又は図６の状態から、本発明のレンズ掴み片１０ｂ、又は１０ｆ、がフレーム部品２０ａの凹部４０、又は４１に嵌合され、更にネジによりレンズＬに止着され組み立てられたリムレスメガネの一部断面を有する平面図であって、レンズ掴み片１０ｂ、１０ｆ、がレンズＬにしっかり密着し、且つフレーム部品２０ｄにもしっかり嵌合されており、レンズとフレーム部品の共回りを防止し、且つ装飾面でも効果を呈する事となる。【００１３】  図８は本発明の他の実施例の斜視図であり、レンズ掴み片１０ｇの凸部又は凹部（本図の場合は凹部で図示してある。）に更に突起部４２が少なくとも一箇所以上設けられた状態を表しており、この場合は組み立てる際に突起部４２を図７のごとくフレー厶部品凹部４１に嵌合させてレンズ周面に取り付ける事により、部品の紛失が防げる事と、組み立ての失敗を少なくすることが可能となる。【００１４】  図９は従来のレンズ掴み片１０ｈを設けたフレーム部品を取り付けたリムレスメガネの正面図であって、機能的にはレンズとフレーム部品の間の回り止めをする効果はあるが、いかにも回り止めを付けましたという風にしか見えず逆に野暮ったい風に見えてしまい、お洒落なリムレスメガネのイメージを損なう事となっていた。
【図面の簡単な説明】
【００１５】
【図１】本発明の実施例のレンズ掴み装飾片の斜視図
【図２】本発明の実施例のリムレスメガネの正面図
【図３】本発明の他の実施例のレンズ掴み装飾片の斜視図
【図４】本発明の他の実施例のリムレスメガネの正面図
【図５】本発明の実施例の変化例斜視図
【図６】本発明の他の実施例の変化例斜視図
【図７】レンズ掴み装飾片を装着したリ厶レスメガネ平面図
【図８】本発明の他の実施例の斜視図
【図９】従来図
【符号の説明】
１０  レンズ掴み装飾片
１１ａ，１１ｂ  等辺
１２  等辺に挟まれた一辺部
１３  凸部
１４  略菱形の装飾部分
１５  三角柱状体の装飾部分
２０  フレーム部品（ヨロイ部）
２１  フレーム部品（ブリッジ部９
４０，４１  嵌合凹部
Ｌ  レンズ
Ｓ  レンズ周面
Ｔ  テンプル
【図１】
2005062792.tif 000003
【図２】
2005062792.tif 000004
【図３】
2005062792.tif 000005
【図４】
2005062792.tif 000006
【図５】
2005062792.tif 000007
【図６】
2005062792.tif 000008
【図７】
2005062792.tif 000009
【図８】
2005062792.tif 000010
【図９】
2005062792.tif 000011